(57)【要約】      （修正有）【課題】ブラシ材を除いて、部品点数は、柄部と回転支持軸の二点であり、金型代、材料加工費及び材料費が安価な回転歯ブラシを提供する。【解決手段】柄部にヒンジ部１１と装着部１２を設けた左右一対の軸受板３の内側に、さらに、半円形状の凹部１６をガイド板９に設け、ブラシ材７を装着する多角形状の回転支持軸５の左右先端部にスリット部を設けており、ブラシ材７を装着した回転支持軸５を軸受板３の装着部１２に取り付ける構成とした。【選択図】図１４
2014004202.tif 000002
【特許請求の範囲】
【請求項１】
柄部にヒンジ部と装着部を設けた左右一対の軸受板の内側に、さらに、半円形状の凹部をガイド板に設けており、そして、ブラシ材を装着する多角形状の回転支持軸の左右先端部にスリット部を設けており、前記回転支持軸を介してブラシ材を装着した前記回転支持軸を軸受板の装着部に取り付ける構成の回転歯ブラシにおいて、前記一対の軸受板のヒンジ部の作用により、それぞれ左右方向へ開閉可能にした回転歯ブラシであり、前記回転支持軸を軸受板の装着部に取り付けたとき、前記ガイド板の凹部又は、前記装着部のどちらか一方、又は前記ガイド板の凹部及び前記装着部の双方との間の摩擦抵抗を可変可能に設けられており、歯磨き時一定の摩擦抵抗を越えた場合、回転可能と成る回転歯ブラシである。前記多角形状に設けられている回転支持軸の左右先端部にスリット部と、前記軸受板の左右に一対の軸受板にヒンジ部を設けて、それぞれ左右方向へ開閉可能にしたことを特徴とする回転歯ブラシ。
【請求項２】
柄部の装着部に回転支持軸を装着時に用いる凹部を設けた左右一対の軸受板の内側に、さらに、半円形状の凹部をガイド板に設けており、そして、ブラシ材を装着する多角形状の回転支持軸の左右先端部にスリット部を設けており、前記回転支持軸を介してブラシ材を装着した前記回転支持軸を、凹部介して軸受板の装着部に取り付ける構成の回転歯ブラシにおいて、前記回転支持軸を軸受板の装着部に取り付けたとき、前記ガイド板の凹部又は、前記装着部のどちらかの一方、又は前記ガイド板の凹部及び前記装着部の双方との間の摩擦抵抗を可変可能に設けられており、歯磨き時一定の摩擦抵抗を越えた場合、回転可能と成るよう設けられており、多角形状の回転支持軸にスリット部と、軸受板に凹部を介して回転支持軸を装着する構成としたことを特徴とする回転歯ブラシ。
【請求項３】
前記ブラシ材は、その間に介装するブラシ材ガイド板の肉厚を、その周縁部において薄くしたことを特徴とする請求項１又は２記載の回転歯ブラシ。
【発明の詳細な説明】
【技術分野】
【０００１】
本発明は、回転歯ブラシに関する。
【背景技術】
【０００２】
従来使用されている回転歯ブラシの場合は、柄部先端部左右に一対の装着部を設けられた軸受板の内側に適宜な数のブラシ材を筒を介して装着し、そして、前記軸受板の内側に前記ブラシ材装着した筒に支持軸を挿通し左右を、前記装着部に回転可能に取り付けた回転歯ブラシである。
【０００３】
また、上記回転歯ブラシの場合は、ブラシ材を装着するため筒を、軸受板に回転可能に固着して設けるための、支持軸を用いており、組み立て作業工程に時間が掛かり、作業単価が高く成り、その結果販売価格も高価に成らざるを得なかった。
【０００４】
また、柄部先端部の装着部に装着したとき、歯磨き時ブラシ材が左右に振れ難いよう、きつめに設けられているため、歯磨き時ブラシ材の隙間に入った食べ残しの残留物等々が、容易に洗浄することが困難であり、また、乾燥にも時間が掛かった。
【０００５】
またさらに、左右の軸受板の装着部に支持軸で固着されてはいるが、前記軸受板の内側にガイド板を設けられていないために、歯磨き時の摩擦抵抗が生じた場合は、固着部が外れる可能性もあつた。
【０００６】
また、前記円形状で３６０度回転する歯ブラシの場合は、通常歯磨き時ブラシ部と回転軸との間で殆ど摩擦抵抗が生じないため、ただ歯の表裏の表面や口内面を回転して移動しながら歯磨きするだけの回転歯ブラシであつた。
【発明の開示】
【発明が解決しようとする課題】
【０００７】
以上述べたように従来の回転歯ブラシの場合は、歯磨き時、前後に円滑に回転するだけであり、かつ、装着部左右の内側に装着されているブラシ材が、使用中左右にぶれないように適宜な枚数隙間なく設けているために、歯磨き時ブラシ材の隙間に入った食べ滓等々は、使用後の洗浄時容易に洗浄することが困難な場合があつた。
【０００８】
本発明は上記記載の従来の回転歯ブラシの構成が有していた問題点を解決しようとするものである。
【０００９】
以下本発明の回転歯ブラシの場合に用いる材料は、弾性を有しているプラスチック材料を用いることにより可能となる回転歯ブラシである。図１から図２４の符号に基づいて説明する。
【課題を解決するための手段】
【００１０】
歯磨き時の摩擦抵抗を越えた場合、ブラシ部が回転可能に成るよう設けられており、また、直接にブラシ材は回転支持軸を介して軸受板に取り付けることで、作業工程の時間が短縮可能となることにより、その結果作業単価も安価になり、販売価格も安価で提供可能と成る。
【００１１】
また左右一対の軸受板の内側に、さらに、歯磨き後使用後の洗浄時や、乾燥時間の短縮及び、脱落防止さくとしてガイド板を設けることにより、前記軸受板の装着部分の摩擦抵抗時の圧力も分散可
能となる回転歯ブラシである。
【００１２】
柄部１にヒンジ部１１と装着部１２を設けた左右一対の軸受板３の内側に、さらに、半円形状の凹部１６をガイド板９に設けており、そして、ブラシ材７を装着する多角形状の回転支持軸５の左右先端部にスリット部１４を設けており、前記回転支持軸５を介してブラシ材７を装着した前記回転支持軸５を軸受板３の装着部１２に取り付ける構成としたことを特徴とする回転歯ブラシである。
【００１３】
前記一対の軸受板５のヒンジ部１１の作用により、それぞれ左右方向へ開閉可能にした回転歯ブラシであり、前記回転支持軸５を軸受板３の装着部１２に取り付けたとき、前記ガイド板９の凹部１６又は、前記装着部１２のどちらか一方、又は前記ガイド板９の凹部１６及び前記装着部１２の双方との間の摩擦抵抗を可変可能に設けられていることを特徴とする回転歯ブラシである。
【００１４】
また、歯磨き時一定の摩擦抵抗を越えた場合、回転可能と成る回転歯ブラシである。多角形状に設けられている回転支持軸５の左右先端部にスリット部１４と、前記軸受板３の左右に一対の軸受板３にヒンジ部１１を設けて、それぞれ左右方向へ開閉可能にしたことを特徴とする回転歯ブラシである。
【００１５】
また一方、柄部４の装着部１３に回転支持軸６を装着時に用いる凹部１８を設けた左右一対の軸受板６の内側に、さらに、半円形状の凹部１７をガイド板１０に設けており、そして、ブラシ材８を装着する多角形状の回転支持軸６の左右先端部にスリット部１５を設けており、前記回転支持軸６を介してブラシ材８を装着した前記回転支持軸６を、凹部１８介して軸受板４の装着部１３に取り付ける構成としたことを特徴とする回転歯ブラシである。
【００１６】
また、回転支持軸６を軸受板４の装着部１３に取り付けたとき、ガイド板１０の凹部１７又は、前記装着部１３のどちらかの一方、又は前記ガイド板１７の凹部１８及び前記装着部１３の双方との間の摩擦抵抗を可変可能に設けられていることを特徴とする回転歯ブラシである。
【００１７】
また、歯磨き時一定の摩擦抵抗を越えた場合、回転可能と成るよう設けられており、多角形状の回転支持軸６にスリット部１５と、軸受板４に凹部１８を介して回転支持軸６を装着する構成としたことを特徴とする回転歯ブラシである
【００１８】
なお、上記記載のブラシ材は、その間に介装するブラシ材ガイド板の肉厚を、その周縁部において薄くしたことを特徴とする回転歯ブラシである。
【００１９】
上記００１１から００１３に述べたように、回転支持軸５を取り付ける穴２３を設けられている装着部１２の軸受板３に、簡単に取り付け可能な回転歯ブラシである。装着部１２の穴２３に回転支持軸５を介してブラシ材７を装着した回転支持軸５を容易に取り付けられるよう軸受板３に、それぞれの方向に開閉可能に成るヒンジ部１１を設けたことを特徴とする回転歯ブラシである。
【００２０】
また、００１４から１６に述べた回転歯ブラシの場合の、軸受板４下部の装着部１３に回転支持軸を取り付けための凹部１８を設けられており、回転支持軸６を介してブラシ材８を装着した回転支持軸６の先端部２２を、穴２４を設けられている装着部１３の軸受板４の前記凹部１８を介して取り付け可能に構成されていることを特徴とする回転歯ブラシである。
【００２１】
なお、ヒンジ部１１を設けられている軸受板３及び、凹部１８を設けられている軸受板４双方共に、回転支持軸５，６を介してブラシ材７，８を装着されている回転支持軸５，６を、双方の装着部１２，１３に取り付ける場合、ブラシ材７，８の外周部３１の先端部が左右に広がっており、軸受板３，４の内側の溝３２，３３に挿入し難い場合があり、容易に取り付けられるよう、ガイド板９，１０円形状の凹部１６，１７の周縁部より、柄部１，２の長手方向おいて上部を山形形状２９，３０に設け、底部の幅より上部の幅が広くなることにより前記溝３２，３３に挿入が容易に成るよう設けられている。
【００２２】
そして、上記は、図２４に示されている通り、一部図解されてはいないが、ヒンジ部１１を設けられているガイド板９も同じく円形状の凹部９，１０周縁部より柄部１，２長手方向上部を山形状２９に設けられている、図１０及び２０に示されている数枚のブラシ部７，８を装着されている回転支持軸５，６を軸受板３，４の装着部１２，１３の穴２３，２４に取り付けるとき、ブラシ部７，８の外周部３１が軸受板３，４とガイド板９，１０の溝３２、３３に容易に挿入できるよう溝３２，３３の下部Ｇの幅よりも、上部Ｆの幅を広く設けられている
【００２３】
また、歯磨き時、一定の摩擦抵抗が生じた場合に回転するよう設けることにより、歯磨き時歯の表裏表面は勿論のこと、毛先が歯間の隙間に入り易く歯茎のマッサージは勿論のこと、歯垢等の除去の可能を向上させるこができる回転歯ブラシである。
【００２４】
また、図１０及び２０に示されている回転支持軸５，６を介してブラシ材７，８を三列状に示されているが、軸受板３，４の内側のガイド板９，１０と同様に設ける数は適宜な数設ければよく限定するものではない。
【００２５】
また、回転支持軸５，６を介して装着されているブラシ材７，８の形状及び、
前記多角形状に設けられている回転支持軸５，６の形状、さらに、多角形状に設けられている先端部にヒンジ部を設けられているが、確実に取り付けられれ良く、ヒンジ部を設けられた先端部に限定されるものではない。
【発明の効果】
【００２６】
上述したように本発明の回転歯ブラシは、柄部先端部の左右一対の軸受板上部にヒンジ部と、その内側に多角形状の回転支持軸を介して設けられている。ブラシ材の前記回転支持軸を前記軸受板に取り付けたとき、歯磨き時一定の摩擦抵抗を越えた場合、回転可能に構成されている回転歯ブラシである。
【００２７】
また一方の回転歯ブラシの場合は、左右先端部にスリット部を設けられている回転支持軸を介してブラシ材を装着されている回転支持軸を、穴を設けられている装着部の軸受板の下部に、前記回転支持軸を軸受板に取り付けるときの凹部を設けられており、前記ブラシ材を装着した回転支持軸は前記凹部を介して、装着部の穴に取り付けられるよう構成されている回転歯ブラシである。
【００２８】
さらに、上記００２５及び００２６の回転歯ブラシの軸受板の内側には、回転支持軸を取り付けられている軸受板の装着の歯磨き時の摩擦抵抗を分散させるガイド板を設けられており、さらに、ガイド板を設けることにより、歯ブラシ使用後の洗浄時、口内の食べ滓等が洗浄し易く成ると共に、容易に乾燥可能となる回転歯ブラシである。
【００２９】
また、軸受板に左右方向開閉可能なヒンジ部を設けた回転歯ブラシの場合は、ブラシ材を装着された回転支持軸を軸受板の装着部の穴に取り付ける場合の作業工程の時間が短縮可能な回転歯ブラシである。
【００３０】
さらに、軸受板の下部に多角形状に設けられている回転支持軸装着用の凹部を設けられている軸受板の場合は、ブラシ材を装着された回転支持軸の左右先端部を軸受板の凹部を介した装着部の穴に取り付ける場合の、作業工程の時間が短縮可能な回転歯ブラシである。
【００３１】
また、上記回転支持軸を介して装着されているブラシ材の外周部は、先端部が左右に広がりがちであり、軸受板の内側に設けられているガイド板との溝に容易に挿入して取り付できるよう円形状に設けられている凹部周縁部より、柄部長手方向上部が山形形状に設けられてガイド板であり、溝の底部の幅よりも、上部の幅を広くもうけることにより、装着時、ブラシ材の外周部の先端部が前記溝に容易に挿入可能に設けられている回転歯ブラシである。
【００３２】
従来の回転歯ブラシは、歯磨き時何の摩擦抵抗も生じず、ただ回転するだけであつたが、本発明の回転歯ブラシの場合は、歯磨き時、一定の摩擦抵抗を超え場合回転可能に構成されているために、歯磨き時にブラシ材の毛の先端部分が歯間の隙間に入りやすくなり、その効果として歯垢等の除去の効果が期待できる。
【発明を実施するための最良の形態】
【００３３】
実施例に係る回転歯ブラシの実施形態について図１から図２４を参照して、さらに詳細に説明する。なお、本発明の範囲は特許請求の範囲記載のものであって、以下の実施形態に限定されないことはいうまでもない。
【００３４】
以下，本発明の実施例１の図１から図１５に基づき説明する。
【００３５】
図１は、回転歯ブラシの柄部１先端部１９に多角形状の回転支持軸を取り付ける穴２３を設けた装着部１２を、左右一対の軸受板３を設けており、そして前記軸受板３の内側に、さらに、前記回転支持軸ガイドするガイド板９を設けられている正面図である。
【００３６】
図２は、図１の平面図であり、柄部１の先端部１９に左右一対の軸受板３を設けられており、２５は、回転歯ブラシ使用後洗浄時及び乾燥用の開口部である。
【００３７】
図３は、図２の低面図である。柄部１先端部１９に、左右一対の軸受板３を設けられており、前記軸受板３の内側に半円形状の凹部１６周縁部より柄部１の長手方向に回転支持軸を介して装着されているブラシ材が、軸受板３とガイド板の溝に容易に挿入できるよう山形形状２９に設けられているガイド板９であり、２５は、回転歯ブラシ使用後洗浄時及び乾燥用の開口部である。
【００３８】
図４は、図１の正面図の柄部１先端部１９に多角形状の回転支持軸５を取り付ける、左右一対のヒンジ部１１を設けた軸受板３に穴２３を設けた装着部１２を設けており、そして前記軸受板３の内側に、さらに、前記回転支持軸ガイドするガイド板９を設けられている正面図である。
【００３９】
図５は、図に示されている平面図に、図９に示されている回転支持軸５を介してブラシ材を装着する、左右先端部２１にスリット部１４を設けられている多角形状の回転支持軸５を取り付ける穴２３を設けられている装着部１２を、柄部１先端部１９に、左右一対の軸受板３に設けられている。２５は、回転歯ブラシ使用後洗浄時及び乾燥用の開口部である。
【００４０】
図６は、図３の低面図に、図９に示されている左右先端部２１にスリット部１４を設けられている多角形状の回転支持軸５を取り付ける穴２３を設けられている装着部１２を、柄部１先端部１９に、左右一対の軸受板３に設けられており、さらに、円形形状の凹部１６周縁部より柄部１の長手方向に回転支持軸を介して装着されているブラシ材が、軸受板３とガイド板の溝に容易に挿入できるよう山形形状２９に設けられているガイド板９であり、回転歯ブラシ使用後洗浄時及び乾燥用の開口部である。
【００４１】
図７は、図６のＡ−Ａ’方向一部断面を示す側面拡大図である。柄部１先端部１９には、左右先端部にスリット部１４を設けられている多角形状の回転支持軸を装着する穴２３を装着部１２に設けられている軸受板３であり、さらに、前記軸受板３には、それぞれの方向へ開閉可能なヒンジ部１１を、左右一対の軸受板３に設けられている。
【００４２】
図８は、図９の左右先端部にスリット部２１を設けられている多角形状の回転支持軸５を介して装着するブラシ材７は、中央部周囲を溶着２８されており、その中心部を、前記回転支持軸の周囲と同形状に開口部２７を設けられており、３１はブラシ材７の外周部である、ブラシ材７の正面拡大図である。
【００４３】
図９は、図８の中央部周囲を溶着２８し、その中心部に開口部２７を設けられているブラシ材７の前記開口部２７を介して装着する多角形状の回転支持軸５である、そして、左右先端部２１には、軸受板５の装着部１２の穴２３に取り付けるスリット部１４を前記回転支持軸５に設けられている回転支持軸５の正面拡大図である。
【００４４】
図１０は、図９の回転支持軸５を介して図８のブラシ材７を取り付けた正面拡大図である。５は、多角形状に設けられている回転支持軸であり、７は、ブラシ材、１４は、先端部２１に左右に設けられているスリット部である。
【００４５】
図１１は、図６に示されている柄部１先端部１９に、回転支持軸５の装着部１２に穴２３を設けられている左右一対の軸受板３に、それぞれの左右方向へ開閉可能にしたヒンジ部１１を設けられており、さらに、その内側に前記回転支持軸５をガイドするガイド板９に円形状の凹部１６周縁部より柄部１の長手方向に回転支持軸を介して装着されているブラシ材が、軸受板３とガイド板の溝３２に容易に挿入できるよう山形形状２９に設けられているガイド板９であり、２５は、開口部であり、前記軸受板３を、左右方向に開いた状態を示す底面拡大図である。
【００４６】
図１２は、図２に示されている柄部１先端部１９に設けられている軸受板３に、図１０に示されている左右先端部２１にスリット部１４設けられている回転支持軸５を介してブラシ材７を装着した前記回転支持軸の５装着部１２に穴２３と、洗浄時の開口部２５を示している平面拡大図である。
【００４７】
図１３は、図３に示されている柄部１先端部１９に回転支持軸５の装着部１２に穴２３を設けられている左右一対の軸受板３に、図１０に示されている左右先端部２１にスリット部１４設けられている回転支持軸５を介してブラシ材７を装着した前記回転支持軸５の装着部１２に穴２３と、それぞれの左右方向へ開閉可能にしたヒンジ部１１を設けられており、さらに、その内側に前記回転支持軸をガイドするガイド板９に円形状の凹部１６周縁部より柄部１の長手方向に回転支持軸を介して装着されているブラシ材が、軸受板３とガイド板の溝に容易に挿入できるよう山形形状２９に設けられている。２５は、洗浄時の開口部であり、図１２示されている底面拡大図である。
【００４８】
図１４は、図１３のＣ−Ｃ’方向中央断面拡大である。柄部１先端部１９に、左右先端部２１にスリット部１４設けられている回転支持軸５を介してブラシ材７を装着した前記回転支持軸５の装着部１２に穴２３と、それぞれの左右方向へ開閉可能に成るヒンジ部１１を設けられている軸受板３の、その内側のガイド板９に前記回転支持軸をガイドする円形状の凹部１６を設けられており、２５は、洗浄時の開口部である。
【００４９】
図１５は、図５のＢ−Ｂ’方向一部断面を示すガイド板９，１０の断面側面拡大図である。軸受板３の内側に円形状の凹部１６の周縁部より柄部１の長手方向に回転支持軸を介して装着されているブラシ材が、軸受板とガイド板９の溝に容易に挿入できるよう山形形状２９、３０に設けられている。２５は、洗浄時を設けられているガイド板９の側面拡大図である。１９は、柄部１の先端部、５は回転支持軸である。
【００５０】
本発明の実施例２に付いて図１６から図２４に付いて説明する。
【００５１】
図１６は、柄部２先端部２０に、図２０に示されている先端部２２にスリット部１５を設けられている多角形状の回転支持軸６を、装着部１３の穴２４に装着するための凹部１８を軸受板４に設けられており、さらに、前記軸受板４の内側に、前記回転支持軸をガイドするガイド板１０に円形状の凹部１７の周縁部より柄部１の長手方向に回転支持軸を介して装着されているブラシ材が、軸受板とガイド板９の溝に容易に挿入できるよう山形形状３０に設けられている。そして、洗浄時及び乾燥用の開口部２６を設けられている底面図である。
【００５２】
図１７は、柄部２先端部２０の軸受板４に、図１９に示されている回転支持軸を装着したときの平面図である。先端部２２にスリット部１５を設けられている多角形状の回転支持軸６を取り付ける穴２４用の凹部１８を軸受板４に設けられており、前記回転支持軸５は前記凹部１８を介して装着部１３の穴２４に取り付けられている。そして、２６は、洗浄時及び乾燥用の開口部である。
【００５３】
図１８は、図１６に示されている底面図に、柄部２先端部２０に装着部１３に、図１９の先端部２２にスリット部１５を設けられている多角形状の回転支持軸６を取り付ける穴２４用の凹部１８を設けられており、前記回転支持軸５は、前記凹部１８を介して装着部１３の穴２４に取り付けられており、そして、軸受板４の内側には、前記回転支持軸６装着したときガイドするガイド板１０に
半円形状の凹部１７凹部の周縁部より柄部１の長手方向に回転支持軸を介して装着されているブラシ材が、軸受板とガイド板９の溝に容易に挿入できるよう山形形状３０に設けられ設けられている。底面図である。
【００５４】
図１９は、図８のブラシ材を装着する回転支持軸６である。２２は、２２は先端部、１５は、スリット部である。回転支持軸６の正面拡大図である。
【００５５】
図２０は、図１９の左右先端部２２にスリット部１５を設けられている多角形状の回転支持軸６を介して図８に示されているブラシ材８を装着して回転支持軸６を図２２に示されている凹部１８を介して軸受板に装着される状態を示す正面拡大図である。
【００５６】
図２１は、図１７に示されている柄部２先端部２０の平面図に、図２０のブラシ材８を装着した先端部２２にスリット部１５を設けられている多角形状の回転支持軸６を軸受板４の装着部１３の穴２４に装着している。そして、２６は、洗浄時及び乾燥用の開口部である。
【００５７】
図２２は、柄部２先端部２０に、図２０のブラシ材８を装着した先端部２２にスリット部１５を設けられている多角形状の回転支持軸６を軸受板４の装着部１３の穴２４に装着されている。また、前記軸受板４の内側には、前記回転支持軸６装着したときガイドするガイド板１０に半円形状の凹部１７の周縁部より柄部１の長手方向に回転支持軸を介して装着されているブラシ材８が、軸受板４とガイド板９の溝に容易に挿入できるよう山形形状３０に設けられ設けられている。そして、２６は、洗浄時及び乾燥用の開口部を示している底面拡大図である。
【００５８】
図２３は、図２３のＤ−Ｄ’方向中央断面拡大である。柄部２先端部２０の軸受板４には、左右先端部２２にスリット部１５設けられている回転支持軸６を介してブラシ材８を装着した前記回転支持軸６を装着するための穴２４を設けられている装着部１３と、そして前記装着部１３下部先端部には、前記回転支持軸６を介して装着した回転支持軸６を、装着部１３に装着するための凹部１８を設けられており、前記前記ブラシ材８を装着されている回転支持軸６は前記凹部１８を介して、前記装着部１３の穴２４に取り付けられている。また、軸受板４の、その内側のガイド板１０には前記回転支持軸６をガイドする円形状の凹部１７を設けられており、２６は、洗浄時の開口部である。
【００５９】
図２４は、図２２のＥ−Ｅ’方向ガイド板１０の断面端面拡大図である。図解されてはいないが、ヒンジ部１１を設けられているガイド板９も同じく円形状の凹部９，１０周縁部より柄部１，２長手方向上部を山形状２９に設けられている、図１０及び２０に示されている数枚のブラシ部７，８を装着されている回転支持軸５，６を軸受板３，４の装着部１２，１３の穴２３，２４に取り付けるとき、ブラシ部７，８の外周部３０が軸受板３，３とガイド板９，１０の溝３１、３２、容易に挿入できるよう溝３１，３２の下部Ｇの幅よりも、上部Ｆの幅を広く設けられている。
【図面の簡単な説明】
【００６０】
本発明の実施例１の図１から図１５について説明する。
【図１】図１は、回転歯ブラシの柄部を示す正面図である。
【図２】図２は、図１の柄部を示す平面図である。
【図３】図３は、図１の柄部を示す底面図である。
【図４】図４は、図１の柄部先端部のヒンジ部を示す正面図である。
【図５】図５は、図２の先端部に回転支持軸装着した状態を示す平面図である。
【図６】図６は、図３の先端部に回転支持軸装着した状態を示す底面図である。
【図７】図７は、図６のＡ−Ａ‘方向のヒンジ部を示す一部断面を示す断面拡大図である。
【図８】図８は、ブラシ部として装着されるブラシ材を示す実施例１及び２の正面拡大図である。
【図９】図９は、図８のブラシ材を装着する多角形状の回転支持を示す正面拡大である。
【図１０】図１０は、図９の回転支持軸に図８のブラシ材を装着した状態を示す正面拡大図である。
【図１１】図１１は、先端部に一対の装着板にヒンジ部を設けて左右に開いた状態を示す底面拡大図である。
【図１２】図１２は、図２の先端部の軸受板にブラシ材を装着した回転支持軸を取り付けた状態を示す柄部先端部の平面拡大図である。
【図１３】図１３は、図３先端部の軸受板にブラシ材を装着した回転支持軸を取り付けた状態を示す柄部先端部の底面拡大図である。
【図１４】図１４は、図１３のＣ−Ｃ’方向を示す端面拡大図である。
【図１５】図１５は、図６のＢ-Ｂ‘方向を示すガイド板の一部断面を示す実施例１及び２のガイド板を示す断面側面拡大図である。 本発明の実施例２の図１６から図２４について説明する。
【図１６】図１６は、柄部先端部の軸受板に図２０の回転支持軸を取り付け用の凹部を示す底面拡大図である。
【図１７】図１７は、図１６の凹部を介して回転支持軸を取り付けた状態を示す平面拡大図である。
【図１８】図１８は、図１６の凹部を介して回転支持軸を軸受板に取り付けた状態を示す底面図である。
【図１９】図１９は、多角形状に設けたブラシ材装着用の回転支持軸を示す正面拡大図である。
【図２０】図２０は、図１９の回転支持軸に図８のブラシ材を装着した状態を示す正面拡大図である。
【図２１】図２１は、図１７の先端部の装着部の軸受板にブラシ材を装着回転支持軸を取り付けた状態を示す平面拡大図である。
【図２２】図２２は、図１８の先端部の装着部の軸受板にブラシ材を装着した回転支持軸を状態を示す底面拡大図である。
【図２３】図２３は、図２２のＤ―Ｄ’方向を示す端面断面拡大図である。
【図２４】図２３は、図２２のＥ−Ｅ’方向を示す端面断拡大図である。
【符号の説明】
【００６１】
柄部        １，２
軸受板      ３，４
回転支持軸  ５，６
ブラシ材    ７，８
ガイド板    ９，１０
ヒンジ部    １１
装着部      １２，１３
スリット部  １４，１５
凹部        １６，１７，１８
先端部      １９，２０，２１，２２
穴          ２３，２４
開口部      ２５，２６，２７
溶着部      ２８
山形形状    ２９，３０
外周部      ３１
溝          ３２，３３
方向        Ａ−Ａ‘、Ｂ−Ｂ’，Ｃ−Ｃ‘，Ｄ−Ｄ’，Ｅ−Ｅ‘，Ｆ，Ｇ
【図１】
2014004202.tif 000003
【図２】
2014004202.tif 000004
【図３】
2014004202.tif 000005
【図４】
2014004202.tif 000006
【図５】
2014004202.tif 000007
【図６】
2014004202.tif 000008
【図７】
2014004202.tif 000009
【図８】
2014004202.tif 000010
【図９】
2014004202.tif 000011
【図１０】
2014004202.tif 000012
【図１１】
2014004202.tif 000013
【図１２】
2014004202.tif 000014
【図１３】
2014004202.tif 000015
【図１４】
2014004202.tif 000016
【図１５】
2014004202.tif 000017
【図１６】
2014004202.tif 000018
【図１７】
2014004202.tif 000019
【図１８】
2014004202.tif 000020
【図１９】
2014004202.tif 000021
【図２０】
2014004202.tif 000022
【図２１】
2014004202.tif 000023
【図２２】
2014004202.tif 000024
【図２３】
2014004202.tif 000025
【図２４】
2014004202.tif 000026
【手続補正書】
【提出日】平成24年10月26日(2012.10.26)
【手続補正１】
【補正対象書類名】特許請求の範囲
【補正対象項目名】全文
【補正方法】変更
【補正の内容】
【特許請求の範囲】
【請求項１】
柄部にヒンジ部と装着部を設けた左右一対の軸受板の内側に、さらに、半円形状の凹部を設けたガイド板を備えており、そして、ブラシ材を装着する多角形状の回転支持軸の左右先端部にスリット部を設けており、前記回転支持軸を介してブラシ材を装着した前記回転支持軸を軸受板の装着部に取り付ける構成の回転歯ブラシにおいて、前記一対の軸受板のヒンジ部の作用により、それぞれ左右方向へ開閉可能にした回転歯ブラシであり、前記回転支持軸を軸受板の装着部に取り付けたとき、前記ガイド板の凹部又は、前記装着部のどちらか一方、又は前記ガイド板の凹部及び前記装着部の双方との間の摩擦抵抗を可変可能に設けられており、歯磨き時一定の摩擦抵抗を越えた場合、回転可能となる回転歯ブラシ。
【請求項２】
前記ブラシ材は、その間に介装するブラシ材ガイド板の肉厚を、その周縁部において薄くしたことを特徴とする請求項１記載の回転歯ブラシ。